(57)【要約】  【課題】  カムコーダの操作に連動して、カムコーダの撮影内容（ビデオデータ）を自動的にバックアップすることができ、当該バックアップが正常に取得されているかどうかを随時、容易に確認することができる記録装置、方法、およびプログラムを提供する。  【解決手段】  記録装置は、ＩＥＥＥ１３９４ケーブルを介してカムコーダに接続され、カムコーダの撮影開始に連動して、カムコーダからのビデオデータを、記録装置の備える記録手段に記録する。また、カムコーダにおける撮影が終了すると、これに連動して、ビデオデータの記録手段への記録を終了する。これに加え、ユーザは、記録装置への記録を強制的に開始させたり、強制的に停止させたりすることが可能である。これらの指示は、記録装置の表示装置に表示された設定画面を介して行われる。【選択図】  図３
2005253014.tif 000002
【特許請求の範囲】
【請求項１】
所定のデータの書き込みおよび読み取りが可能な第１の記録手段を有し、
ネットワークを介して接続された撮影機器から転送されるビデオデータを、前記ネットワークを介して受信し、
前記撮影機器の撮影開始時期および撮影終了時期を、前記ネットワークを介して検出し、
前記撮影開始時期から前記撮影終了時期までの前記ビデオデータを自動的に前記第１の記録手段に記録するよう制御することを特徴とする記録装置。
【請求項２】
請求項１に記載の記録装置において、
前記撮影開始時期は、前記撮影機器においてモニタリングを開始した時点、または前記撮影機器が備える第２の記録手段への記録を開始した時点のいずれかであり、
前記撮影終了時期は、前記撮影機器においてモニタリングを終了した時点、または前記第２の記録手段への記録を終了した時点のいずれかであることを特徴とする記録装置。
【請求項３】
所定のデータの書き込みおよび読み取りが可能な第１の記録手段を有し、
ネットワークを介して接続された撮影機器から転送されるビデオデータを、前記ネットワークを介して受信し、
前記撮影機器の撮影開始時期および撮影終了時期を、前記ネットワークを介して検出し、
前記撮影機器から転送される前記ビデオデータを前記第１の記録手段に記録するよう制御し、
前記第１の記録手段への記録開始時期は、前記検出された撮影開始時期およびユーザからの第１の指示に基づいて決定され、前記第１の記録手段への記録終了時期は、前記検出された撮影終了時期およびユーザからの第２の指示に基づいて決定されることを特徴とする記録装置。
【請求項４】
請求項３に記載の記録装置において、
前記撮影開始時期は、前記撮影機器においてモニタリングを開始した時点、または前記撮影機器が備える第２の記録手段への記録を開始した時点のいずれかであり、
前記撮影終了時期は、前記撮影機器においてモニタリングを終了した時点、または前記第２の記録手段への記録を終了した時点のいずれかであることを特徴とする記録装置。
【請求項５】
請求項３に記載の記録装置において、
前記検出された撮影開始時期と前記ユーザからの第１の指示がされた時期のうち、早い方が前記第１の記録手段への記録開始時期として決定されることを特徴とする記録装置。
【請求項６】
請求項３に記載の記録装置において、
前記ユーザからの第２の指示が、前記撮影終了時期に連動して記録を終了させるという指示である場合は、前記第１の記録手段への記録終了時期は、前記検出された撮影終了時期に決定され、
前記ユーザからの第２の指示が、前記撮影終了時期に連動させずに記録を継続させるという指示である場合は、前記第１の記録手段への記録終了時期は、ユーザからの更なる指示または前記第１の記録手段の残り容量に基づいて決定されることを特徴とする記録装置。
【請求項７】
請求項３に記載の記録装置において、
前記ユーザからの第１の指示、および前記ユーザからの第２の指示を入力する画面を表示するための表示手段を有することを特徴とする記録装置。
【請求項８】
請求項７に記載の記録装置において、
音声を出力する音声出力手段を有し、
前記表示手段と前記音声出力手段によって、前記撮影機器から転送される前記ビデオデータの出力が行われることを特徴とする記録装置。
【請求項９】
ネットワークを介して接続された撮影機器から転送されるビデオデータを、前記ネットワークを介して受信するステップと、
前記撮影機器の撮影開始時期および撮影終了時期を、前記ネットワークを介して検出するステップと、
前記撮影開始時期から前記撮影終了時期までの前記ビデオデータを、所定のデータの書き込みおよび読み取りが可能な第１の記録手段に、自動的に記録するよう制御するステップとを有することを特徴とする記録方法。
【請求項１０】
請求項９に記載の記録方法において、
前記撮影開始時期は、前記撮影機器においてモニタリングを開始した時点、または前記撮影機器が備える第２の記録手段への記録を開始した時点のいずれかであり、
前記撮影終了時期は、前記撮影機器においてモニタリングを終了した時点、または前記第２の記録手段への記録を終了した時点のいずれかであることを特徴とする記録方法。
【請求項１１】
ネットワークを介して接続された撮影機器から転送されるビデオデータを、前記ネットワークを介して受信するステップと、
前記撮影機器の撮影開始時期および撮影終了時期を、前記ネットワークを介して検出するステップと、
前記撮影機器から転送される前記ビデオデータを、所定のデータの書き込みおよび読み取りが可能な第１の記録手段に、自動的に記録するよう制御するステップとを有し、
前記第１の記録手段への記録開始時期は、前記検出された撮影開始時期およびユーザからの第１の指示に基づいて決定され、前記第１の記録手段への記録終了時期は、前記検出された撮影終了時期およびユーザからの第２の指示に基づいて決定されることを特徴とする記録方法。
【請求項１２】
請求項１１に記載の記録方法において、
前記撮影開始時期は、前記撮影機器においてモニタリングを開始した時点、または前記撮影機器が備える第２の記録手段への記録を開始した時点のいずれかであり、
前記撮影終了時期は、前記撮影機器においてモニタリングを終了した時点、または前記第２の記録手段への記録を終了した時点のいずれかであることを特徴とする記録方法。
【請求項１３】
請求項１１に記載の記録方法において、
前記検出された撮影開始時期と前記ユーザからの第１の指示がされた時期のうち、早い方が前記第１の記録手段への記録開始時期として決定されることを特徴とする記録方法。
【請求項１４】
請求項１１に記載の記録方法において、
前記ユーザからの第２の指示が、前記撮影終了時期に連動して記録を終了させるという指示である場合は、前記第１の記録手段への記録終了時期は、前記検出された撮影終了時期に決定され、
前記ユーザからの第２の指示が、前記撮影終了時期に連動させずに記録を継続させるという指示である場合は、前記第１の記録手段への記録終了時期は、ユーザからの更なる指示または前記第１の記録手段の残り容量に基づいて決定されることを特徴とする記録方法。
【請求項１５】
請求項１１に記載の記録方法において、
前記ユーザからの第１の指示、および前記ユーザからの第２の指示の入力が、表示手段に表示された入力画面を介して行われることを特徴とする記録方法。
【請求項１６】
コンピュータに、
ネットワークを介して接続された撮影機器から転送されるビデオデータを、前記ネットワークを介して受信するステップと、
前記撮影機器の撮影開始時期および撮影終了時期を、前記ネットワークを介して検出するステップと、
前記撮影開始時期から前記撮影終了時期までの前記ビデオデータを、所定のデータの書き込みおよび読み取りが可能な第１の記録手段に、自動的に記録するよう制御するステップとを実行させるためのプログラム。
【請求項１７】
請求項１６に記載のプログラムにおいて、
前記撮影開始時期は、前記撮影機器においてモニタリングを開始した時点、または前記撮影機器が備える第２の記録手段への記録を開始した時点のいずれかであり、
前記撮影終了時期は、前記撮影機器においてモニタリングを終了した時点、または前記第２の記録手段への記録を終了した時点のいずれかであることを特徴とするプログラム。
【請求項１８】
コンピュータに、
ネットワークを介して接続された撮影機器から転送されるビデオデータを、前記ネットワークを介して受信するステップと、
前記撮影機器の撮影開始時期および撮影終了時期を、前記ネットワークを介して検出するステップと、
前記撮影機器から転送される前記ビデオデータを、所定のデータの書き込みおよび読み取りが可能な第１の記録手段に、自動的に記録するよう制御するステップとを実行させるためのプログラムであって、
前記第１の記録手段への記録開始時期は、前記検出された撮影開始時期およびユーザからの第１の指示に基づいて決定され、前記第１の記録手段への記録終了時期は、前記検出された撮影終了時期およびユーザからの第２の指示に基づいて決定されることを特徴とするプログラム。
【請求項１９】
請求項１８に記載のプログラムにおいて、
前記撮影開始時期は、前記撮影機器においてモニタリングを開始した時点、または前記撮影機器が備える第２の記録手段への記録を開始した時点のいずれかであり、
前記撮影終了時期は、前記撮影機器においてモニタリングを終了した時点、または前記第２の記録手段への記録を終了した時点のいずれかであることを特徴とするプログラム。
【請求項２０】
請求項１８に記載のプログラムにおいて、
前記検出された撮影開始時期と前記ユーザからの第１の指示がされた時期のうち、早い方が前記第１の記録手段への記録開始時期として決定されることを特徴とするプログラム。
【請求項２１】
請求項１８に記載のプログラムにおいて、
前記ユーザからの第２の指示が、前記撮影終了時期に連動して記録を終了させるという指示である場合は、前記第１の記録手段への記録終了時期は、前記検出された撮影終了時期に決定され、
前記ユーザからの第２の指示が、前記撮影終了時期に連動させずに記録を継続させるという指示である場合は、前記第１の記録手段への記録終了時期は、ユーザからの更なる指示または前記第１の記録手段の残り容量に基づいて決定されることを特徴とするプログラム。
【請求項２２】
請求項１８に記載のプログラムにおいて、
前記ユーザからの第１の指示、および前記ユーザからの第２の指示の入力が、表示手段に表示された入力画面を介して行われることを特徴とするプログラム。
【発明の詳細な説明】
【技術分野】
【０００１】
この発明は、カムコーダ（ＣＡＭＣＯＲＤＥＲは登録商標）からの映像・音声等のビデオデータを記録する記録装置、方法、およびプログラムに関する。
【背景技術】
【０００２】
近年、安価な撮影機器が普及し、一般市民が、趣味等で、撮影機器を操作している場面をよく見かけるようになった。このような趣味程度の撮影においては、撮影機器の故障等で一時的に撮影ができなくても影響は小さい。しかしながら、撮影を業務として行っている場合、このような撮影ができない状況は絶対に避けるべきである。
【０００３】
そこで、こうした撮影を業務とする業者は、カムコーダ（テープ等の記録メディアに、アナログまたはディジタルで記録を行うビデオカメラ）などの撮影機器の故障等により、撮影内容がテープに正しく記録されなかった場合に備えて、カムコーダにポータブルデッキやハードディスク(ＨＤＤ：Hard Disk Drive、以下、適宜ＨＤＤと称する）レコーダを接続してカムコーダの撮影内容を同時に収録するようにすることが多い。これは、言い換えれば、撮影内容の同時バックアップである。こうしたバックアップは、失敗が許されない結婚式等のビデオ撮影では、とりわけ多く用いられる。
【０００４】
また、このようにして撮影された撮影内容（ビデオデータ）の編集に関しては、パーソナルコンピュータ（ＰＣ：Personal Computer）を用いたノンリニア編集が主流になりつつある。ノンリニア編集では、カムコーダのテープに記録されたビデオデータ（映像、音声、タイムコードなど）を、ＰＣに搭載しているハードディスクにコピーする必要があるが、このコピーには非常に長い時間を要する。たとえば、録画時間が１時間のビデオデータをＰＣに転送するには、１時間必要である。ただし、一部の業務用デッキでは、４倍速、２倍速での転送を可能にしたものがあるが、高価であり、それでも転送に１５分程度必要である。
【０００５】
こうしたコピー操作にかかる時間や転送時間そのものが、ノンリニア編集の効率を低下させる一因となっている。そこで、カムコーダにより取得されたビデオデータを、撮影時にＨＤＤレコーダにバックアップし、編集の際に、そのＨＤＤレコーダを直接ＰＣに接続するという手法が考えられた。
【０００６】
ここで、図７および図８を参照して、従来のＨＤＤレコーダ用いた撮影時および編集時の態様の一例について説明する。図７は、撮影時の態様に関して示した図である。カムコーダ１１０は、ＩＥＥＥ（Institute of Electrical and Electronic Engineers）１３９４規格のケーブル（ＩＥＥＥ１３９４ケーブル）１２０を介してＨＤＤレコーダ１００に接続される。ＨＤＤレコーダ１００は、本体１０１とバッテリー部１０２とからなる。本体１０１には、ハードディスク、ハードディスク駆動装置、操作ボタン等が含まれ、バッテリー部１０２から電源の供給を受け動作する。
【０００７】
カムコーダ１１０は、本体１１１とバッテリー部１１２からなる。本体１１１はＣＣＤ等を備えたカメラ部、およびＤＶ（Digital Video）信号処理を行うＤＶデッキ部を含んでおり、これらは、バッテリー部１１２から電源の供給を受け動作する。近年のカムコーダ１１０は、アナログからディジタルへの移行をほぼ終えており、ここでもディジタル・カムコーダを例に説明する。
【０００８】
ＨＤＤレコーダ１００の電源は、家庭用のＡＣコンセントからのみとるタイプのものもあるが、この例では、バッテリー部１０２からも提供されうる。このようなタイプのＨＤＤレコーダ１００を選択することで、屋外での撮影が可能となる。このタイプのＨＤＤレコーダは、非特許文献１に記載されている。非特許文献１には、撮影の際に、カムコーダ１１０とＨＤＤレコーダの本体１０１とバッテリー部が一体的に接続されている態様が紹介されている。
【非特許文献１】写真工業出版社、「ビデオα」、２００３年１月、ページ８９〜９２
【０００９】
図８は、編集時の態様を示した図である。ＨＤＤレコーダ１００は、ここでは、ＡＣアダプタ１０３およびＡＣプラグ１０４を介して、家庭用のＡＣコンセントに接続されうる。編集は、通常、屋内で行われる。このため、ＨＤＤレコーダ１００がＡＣコンセントに接続可能であれば、容量に制限のあるバッテリー部１０２を用いず、図示するようにＡＣ電源が用いられ、バッテリー部１０２は、ＨＤＤレコーダ１００の本体１０１から取り外されている。
【００１０】
編集用ＰＣ１３０は、ＰＣ本体１３１、ディスプレイ装置１３２、キーボード１３３、およびマウス１３４からなり、ＩＥＥＥ１３９４ケーブル１４０を介してＨＤＤレコーダ１００に接続される。この他、ＨＤＤレコーダ１００と編集用ＰＣ１３０は、ＳＣＳＩ、ＵＳＢ、ＬＡＮなどの、他のネットワークを経由して接続できるものもある。
【発明の開示】
【発明が解決しようとする課題】
【００１１】
しかしながら、このような組み合わせでは、撮影時において以下のような課題がある。すなわち、カムコーダ１１０で撮影を開始または停止する場合は、そのタイミングに合わせて、ＨＤＤレコーダ１００によるビデオデータの記録が開始または停止されるよう、ＨＤＤレコーダ１００を操作しなければならない。また、ＨＤＤレコーダ１００のバッテリー部１０２とカムコーダ１１０のバッテリー部１１２は、一般的に、異なる形状・規格であり、それぞれに専用のものが必要になる。
【００１２】
さらに、通常、ＨＤＤレコーダ１００はモニタ画面やスピーカーを搭載していないので、カムコーダ１１０と正しく接続されているかどうか、あるいはカムコーダ１１０からのビデオデータが正常に記録されているかどうか等を確認することが困難である。また、ＨＤＤレコーダ１００単体では、記録済みの映像・音声等を確認することができないため、不要なデータがあっても、撮影現場でファイルを削除することができず、容量に限りのあるハードディスクを有効に利用できないという不具合を生じることもある。
【００１３】
一方、ビデオデータの編集時においては、以下のような課題がある。ＰＣの能力が劇的に向上してきたため、その能力を有効に活用して高速処理を行うには、アクセス速度が速い、ＰＣ内蔵のハードディスクにビデオデータが格納されていることが条件となる場合が増えてきた。たとえば、編集用ＰＣ１３０の外部にＨＤＤレコーダ１００が接続されている場合は、ＩＥＥＥ１３９４ケーブル１４０の転送スピードや、ＨＤＤレコーダ１００に内蔵されるハードディスクのデータ読み出しスピード等では、編集ＰＣ１３０上で実行されるノンリニア編集アプリケーションの処理速度に間に合わない可能性がある。
【００１４】
そのため、せっかくＨＤＤレコーダ１００に記録したデータを、編集用ＰＣ１３０に内蔵されたハードディスクに一旦コピーするという手間が必要になる。また、ＨＤＤレコーダ１００に内蔵されているハードディスクは、取り外しができないため、容量が足りなくなった場合は、後続の撮影のために編集用ＰＣ１３０にビデオデータを転送し、空き容量を確保する作業が必要となる。
【００１５】
したがって、この発明の目的は、カムコーダの操作に連動して、カムコーダの撮影内容を自動的にバックアップすることができ、また、ＨＤＤレコーダおよびそのバッテリーを携帯することなく、ＨＤＤレコーダの代わりにビデオデータを記録し、ビデオデータのバックアップが正常に取得されているかどうかを随時、容易に確認することができる記録装置、方法、およびプログラムを提供することにある。
【００１６】
この発明のさらなる目的は、撮影内容のバックアップとして記録されたビデオデータの映像・音声等を確認することができ、不要なデータを随時削除可能な記録装置、方法、およびプログラムを提供することにある。
【００１７】
また、この発明のさらなる目的は、編集ＰＣにおいて、ノンリニア編集アプリケーションの処理速度に間に合うようにビデオデータを提供することができる記録装置、方法、およびプログラムを提供することにある。
【課題を解決するための手段】
【００１８】
第１の実施態様に係る発明は、所定のデータの書き込みおよび読み取りが可能な第１の記録手段を有し、ネットワークを介して接続された撮影機器から転送されるビデオデータを、ネットワークを介して受信し、撮影機器の撮影開始時期および撮影終了時期を、ネットワークを介して検出し、撮影開始時期から撮影終了時期までのビデオデータを自動的に第１の記録手段に記録するよう制御するよう構成された記録装置である。
【００１９】
第２の実施態様に係る発明は、所定のデータの書き込みおよび読み取りが可能な第１の記録手段を有し、ネットワークを介して接続された撮影機器から転送されるビデオデータを、ネットワークを介して受信し、撮影機器の撮影開始時期および撮影終了時期を、ネットワークを介して検出し、撮影機器から転送されるビデオデータを第１の記録手段に記録するよう制御し、第１の記録手段への記録開始時期は、検出された撮影開始時期およびユーザからの第１の指示に基づいて決定され、第１の記録手段への記録終了時期は、検出された撮影終了時期およびユーザからの第２の指示に基づいて決定されるよう構成された記録装置である。
【００２０】
第３の実施態様に係る発明は、ネットワークを介して接続された撮影機器から転送されるビデオデータを、ネットワークを介して受信するステップと、撮影機器の撮影開始時期および撮影終了時期を、ネットワークを介して検出するステップと、撮影開始時期から撮影終了時期までのビデオデータを、所定のデータの書き込みおよび読み取りが可能な第１の記録手段に、自動的に記録するよう制御するステップとを有するよう構成された記録方法である。
【００２１】
第４の実施態様に係る発明は、ネットワークを介して接続された撮影機器から転送されるビデオデータを、ネットワークを介して受信するステップと、撮影機器の撮影開始時期および撮影終了時期を、ネットワークを介して検出するステップと、撮影機器から転送されるビデオデータを、所定のデータの書き込みおよび読み取りが可能な第１の記録手段に、自動的に記録するよう制御するステップとを有し、第１の記録手段への記録開始時期は、検出された撮影開始時期およびユーザからの第１の指示に基づいて決定され、第１の記録手段への記録終了時期は、検出された撮影終了時期およびユーザからの第２の指示に基づいて決定されるよう構成された記録方法。
【００２２】
第５の実施態様に係る発明は、コンピュータに、ネットワークを介して接続された撮影機器から転送されるビデオデータを、ネットワークを介して受信するステップと、撮影機器の撮影開始時期および撮影終了時期を、ネットワークを介して検出するステップと、撮影開始時期から撮影終了時期までのビデオデータを、所定のデータの書き込みおよび読み取りが可能な第１の記録手段に、自動的に記録するよう制御するステップとを実行させるためのプログラムである。
【００２３】
第６の実施態様に係る発明は、コンピュータに、ネットワークを介して接続された撮影機器から転送されるビデオデータを、ネットワークを介して受信するステップと、撮影機器の撮影開始時期および撮影終了時期を、ネットワークを介して検出するステップと、撮影機器から転送されるビデオデータを、所定のデータの書き込みおよび読み取りが可能な第１の記録手段に、自動的に記録するよう制御するステップとを実行させるためのプログラムであり、第１の記録手段への記録開始時期は、検出された撮影開始時期およびユーザからの第１の指示に基づいて決定され、第１の記録手段への記録終了時期は、検出された撮影終了時期およびユーザからの第２の指示に基づいて決定される。
【発明の効果】
【００２４】
この発明によれば、カムコーダの操作に連動して、カムコーダの撮影内容を自動的にバックアップすることができ、また、ＨＤＤレコーダおよびそのバッテリーを携帯することなく、ＨＤＤレコーダの代わりにビデオデータを記録し、ビデオデータのバックアップが正常に取得されているかどうかを随時、容易に確認することができる。また、撮影内容のバックアップとして記録されたビデオデータの映像・音声等を確認することができ、不要なデータを随時削除することもできる。
【００２５】
さらに、撮影されたビデオデータの編集時に、ノンリニア編集アプリケーションの処理速度に間に合うようにビデオデータが提供される。
【００２６】
また、この発明の記録装置は、年式の古いＰＣを利用して構成することができるため、資源の有効活用にもつながる。この発明に係るプログラムでは、ＰＣの処理速度をそれほど必要としないため、数世代前のＰＣでも十分に利用可能である。したがって、デスクトップＰＣであれば、ＨＤＤだけを最新の大容量のものに置換し、この発明に係るプログラムをインストールすれば、容易にこの発明の記録装置として利用することができる。
【００２７】
従来のＨＤＤレコーダは、一般的にはＨＤＤを交換することができない。ところが、デスクトップＰＣであれば、比較的容易に希望のＨＤＤを接続することが可能である。ＨＤＤの価格が下がってきていることを考えると、カムコーダにおけるテープのように、ＨＤＤそのものを交換しながら運用することも十分考えられるようになってきた。ビデオデータが記録されたＨＤＤそのものを保存するので、その大容量のビデオデータをコピーする手間が不要になり、特に時間的な制約を受ける分野の番組作り等では、作業効率の大きな改善が期待できる。
【発明を実施するための最良の形態】
【００２８】
本発明では、基本的に、ＰＣにプログラム（アプリケーションソフト）をインストールし、ＰＣそのものをＨＤＤレコーダに代わる記録装置として機能させる。ここで、図１を参照して、この発明に係る記録装置について説明する。記録装置１０は、たとえばＩＥＥＥ１３９４ケーブル１６を介してカムコーダ１５に接続され、カムコーダ１５が出力するビデオデータを受信し、内蔵ハードディスクに記録する。記録装置１０は、たとえば、ノート型ＰＣのような可搬型のコンピュータである。
【００２９】
近年、ノート型ＰＣでもその性能向上は著しく、カムコーダ１５からの映像・音声を、そのＰＣに内蔵されたハードディスクに記録することは容易になった。また、小型軽量化も進み、バッテリー動作時間も大幅に伸びている。同様に、内蔵ハードディスクの容量も増え、長時間のＤＶデータを格納することが可能になった。ほとんどのＰＣおよびカムコーダはＩＥＥＥ１３９４ケーブルを接続可能なＩＥＥＥ１３９４端子を標準で備えているため、図１のように、１本のＩＥＥＥ１３９４ケーブル１６で両者を接続可能である。
【００３０】
さらに、記録装置１０は、モニタ１１、スピーカー１２（またはヘッドフォン端子（不図示））を備えているので、カムコーダ１５の映像や音声を、撮影現場で確認することができる。また、記録装置１０のハードディスクに記録された映像・音声をその場で再生して確認したり、不要な部分（シーン、フレーム）やファイルを削除したりすることも容易である。このような記録装置１０の操作には、記録装置１０の備えるキーボード１３やマウス１４等が使用される。
【００３１】
また、図１に示すように、カムコーダ１５のビデオデータは、ＰＣで構成された記録装置１０に直接転送されるので、撮影後そのままノンリニア編集の作業に移ることができる。図１では、屋外で撮影することを前提としているので、記録装置１０は、持ち運びに適するように、バッテリーで動作するノート型ＰＣの図になっているが、商用電源が準備できる環境であれば、デスクトップＰＣを使用することもできる。デスクトップＰＣは、ノート型ＰＣに比べてスペースの制限が少ないため、ノート型ＰＣより価格面や性能面で有利な場合が多く、ＡＣ電源が使える環境では、デスクトップＰＣを選択することが推奨される。
【００３２】
この発明は、ＰＣにプログラムをインストールすることによって所定の機能を実現可能であるため、どのようなタイプのコンピュータを用いてもよい。また、このような処理機能を有する専用のコンピュータを構築することもできる。
【００３３】
通常、カムコーダ１５から出力されるビデオデータは、映像データと音声データを含み、所定の規格のフォーマットで生成され、記録装置１０は、そのフォーマットにしたがって、ビデオデータを記録し、あるいはモニタ１１に表示する。また、記録装置１０は、受信したビデオデータを、たとえばＭＰＥＧ２等の他のフォーマットに変換して記録することもできる。記録装置１０におけるビデオデータの編集は、記録されたビデオデータのフォーマットに対応したアプリケーションを用いて行われる。現在のカムコーダ１５では、所定の規格のフォーマットでビデオデータを生成することが一般的であるが、他の形式のフォーマットで符号化を行ってビデオデータを出力することも考えられる。また、カムコーダ１５において、映像データおよび音声データをそのまま出力し、記録装置１０によって、その映像データおよび音声データを符号化（すなわち、ビデオキャプチャ）するように構成しても良い。
【００３４】
次に、図２を参照して、この発明に係る記録装置１０のモニタ１１に表示される画面の例について説明する。モニタ１１には、カムコーダ１５の撮影時や、記録装置１０で再生を指示した場合に表示されるモニタ画面２０の例が示されている。モニタ画面２０の中央上部には、撮影画像または再生画像を表示する画像表示部２１が配置されている。撮影画像は、カムコーダ１５から転送されてくるビデオデータの映像であり、この映像が画像表示部２１に、ほぼリアルタイムに表示される。一方、再生画像は、記録装置１０のハードディスクに一旦記録されたビデオデータをもとに生成される。
【００３５】
画像表示部２１に画像が表示されるとともに、記録装置１０のスピーカー１２やヘッドフォン端子からは音声が出力される。このことにより、記録装置１０によって、カムコーダ１５で撮影した内容を即時にチェックし、あるいは、後で記録された撮影内容を再生して確認することができる。
【００３６】
画像表示部２１の下側には、ディレクトリ選択ボタン２２が配置される。ユーザが、記録装置１０のキーボード１３やマウス１４を使ってディレクトリ選択ボタン２２を押すと、カムコーダ１５から転送されてくるビデオデータを格納するディレクトリ（フォルダ）を選択するディレクトリ選択画面が表示される。この画面は、市販のＯＳ（Operating System）で一般的に使われるものであり、ここでの詳細な説明は省略する。ユーザは、ディレクトリ選択画面を用いて、ビデオデータを、どのディスクドライブのどのフォルダに記録させることにするかを指定する。
【００３７】
ディレクトリ選択ボタン２２の下には、ファイル名称表示領域２３が配置される。ファイル名称表示領域２３に表示されるファイル名は、この例では、カムコーダ１５による撮影または記録装置１０による記録を開始した日時に自動的に設定される。日時は、西暦年、月、日、時、分、秒を表す、全部で１４桁の数字である。カムコーダ１５から転送されたビデオデータは、この１４桁の数字からなるファイル名で、上記ユーザにより指定されたディレクトリに格納される。
【００３８】
ただし、今回のファイルの命名方法はあくまでも一例であり、たとえば、連番や任意指定など他のさまざまな方法によりファイル名称を設定することができる。また、事前に用意された、幾つかの名称設定方法のなかから、ユーザが設定できるようにしておいても良い。
【００３９】
モニタ画面２０の右下のステータス表示領域２４には、記録装置１０の現在の状況（ステータス）が表示されている。たとえば、カムコーダ１５からビデオデータを記録している場合は、「記録中」の表示になる。一方、記録装置１０のハードディスクから、既に記録されたビデオデータを再生する場合は、「再生中」の表示になる。ステータス表示領域２４の下には、画像表示部２１に表示された画像に対応するタイムコードの値を表示するタイムコード表示領域２５が配置されている。
【００４０】
ここで、タイムコードとは、たとえば、ＳＭＴＰＥ（Society of Motion Picture and Television Engineers）に準拠したＤＶのタイムコードを指し、撮影したフレームごとに付けられる。したがって、タイムコードは、フレームを特定する情報となる。このタイムコードを使えば、たとえば、記録装置１０で、ビデオデータの一部を削除等する編集を行ったが、後で、その編集をやり直したいと欲するような場合、削除されたビデオデータの部分に対応するタイムコードを指定して、同じビデオデータを記録しているカムコーダ１５のテープから、その削除された部分を取り出すことができる。
【００４１】
タイムコード表示領域２５の下には、強制停止ボタン２６と強制記録ボタン２７が配置されている。強制停止ボタン２６をマウス１４等で押下すると、接続しているカムコーダ１５の状態に関わらず、記録装置１０のハードディスクへの記録が中止される。強制記録ボタン２７が押されると、カムコーダ１５が撮影（記録）を行っていなくても、カムコーダ１５からの映像や音声が転送されていれば、記録装置１０のハードディスクへの記録を行う。
【００４２】
モニタ画面２０の最下部には、２つの記録終了選択チェックボックス、カムコーダ連動２８、記録継続２９がある。カムコーダ連動２８を、たとえばマウス１４等を用いてチェックすると、カムコーダ１５が撮影を停止（すなわち、カムコーダ１５に挿入されたテープ等への記録を停止）すると、記録装置１０のハードディスクへの記録も自動的に終了する。
【００４３】
一方、記録継続２９をチェックすると、カムコーダ１５がテープ等への記録を終了しても、カムコーダ１５から映像や音声のデータが転送されている限り、記録装置１０のハードディスクへの記録が継続される。ただし、この場合、モニタ画面２０の強制停止ボタン２６が押された場合には、当該をハードディスクへの記録は終了する。このオプションを選んでおくと、たとえば、カムコーダ１５のテープが終了してしまっても記録装置１０のハードディスクへの記録は続いているため、その間に、カムコーダ１５側でテープ交換をすることができる。テープ交換の間の映像・音声は、記録装置１０のハードディスクに格納されているので、大事な場面を取り逃がす心配がない。
【００４４】
カムコーダ連動２８および記録継続２９は、これらの機能から分かるように、実際にはどちらか一方が選択され、同時に選択されることはない。
【００４５】
カムコーダ１５による記録を行わずに、強制記録ボタン２７を押し、その後、強制停止ボタン２６を押すようにすれば、カムコーダ１５を単なるカメラとして用いることができる。このとき、カムコーダ１５でのテープ記録は行わないので、カムコーダ１５の内蔵マイクにメカデッキのノイズ（ドラムの回転音など）が入らず、特に音に関して高いクオリティーを求められている場合等には、有効な使い方である。
【００４６】
次に、図３ないし図５を参照して、この発明の記録装置１０において実行されるプログラムの処理の流れを説明する。図３のフローチャートは、モニタ画面２０で、記録終了選択のカムコーダ連動２８をチェックした場合の動作を示したものであり、カムコーダ１５の撮影開始と撮影終了に連動して記録が行われる。また、ここでは、説明を簡単にするために、強制停止ボタン２６や強制記録ボタン２７が押下された場合の処理は省略してある。
【００４７】
従来の記録装置の中には、カムコーダからの映像・音声を単にハードディスクに記録する機能を有するものもあるが、この発明の記録装置１０は、図３のフローチャートに示すように、カムコーダ１５の状態を監視しながら自動的にファイルを生成し、そこにビデオデータを記録する機能を有している。
【００４８】
最初に、ステップＳ１０において、カムコーダ１５が記録装置１０に接続されているかどうかを判定する。たとえば、カムコーダ１５と記録装置１０が、図１に示したようなＩＥＥＥ１３９４規格のケーブルを介して接続されている場合は、記録装置１０で、ＩＥＥＥ１３９４端子の所定の箇所について電位等をチェックすることによって接続の有無を判定可能である。
【００４９】
ステップＳ１０において、接続がされていないと判定された場合は、再度、ステップＳ１０に戻り、接続がされるまで、上記判定を所定の間隔で繰り返す。ステップＳ１０において、接続がされていると判定された場合は、ステップＳ１１に進み、そこで、カムコーダ１５による撮影が開始されたかどうかを判定する。
【００５０】
ここで、カムコーダ１５による撮影が開始されるとは、カムコーダ１５においてテープ等の記録メディアへの撮影画像および音声の記録を開始することだけでなく、そのような記録の前に、映像や音声をモニタリングするモニタリング状態にすることも含まれる。カムコーダ１５の電源を投入することによって、上述のモニタリング状態になる場合には、電源の投入も撮影の開始の概念に含まれる。
【００５１】
ステップＳ１１において、カムコーダ１５が撮影を開始していないと判定された場合は、再度、ステップＳ１０に戻る。カムコーダ１５が撮影を開始したと判定された場合は、ステップＳ１２に進み、そこで、記録装置１０のハードディスク上の所定のディレクトリにカムコーダ１５から転送されるビデオデータを記録するためのファイルが作成される。
【００５２】
ここで、ディレクトリは、前述したように、ユーザが、モニタ画面２０に配置されたディレクトリ選択ボタン２２を押下して設定することにより予め指定される。また、作成されるファイルのファイル名称は、図２のモニタ画面２０に関連して説明したように、記録を開始した日時をもとに自動的に付けられる。
【００５３】
ステップＳ１２の後、ステップＳ１３において、カムコーダ１５が依然として撮影を継続しているかどうかが判定される。カムコーダ１５の撮影が継続していると判定された場合は、ステップＳ１４に進み、カムコーダ１５から転送されるビデオデータを記録装置１０のメモリに一時的に記録する。その後、再び、ステップＳ１３に戻って、同じ判定を繰り返す。一方、カムコーダ１５の撮影が終了していると判定された場合は、ステップＳ１５に進み、メモリ内に蓄積されたビデオデータを記録装置１０のハードディスクに記録する。このビデオデータは、ステップＳ１２で作成されたファイルのファイル名称で上記ハードディスクに記録される。
【００５４】
ここで、カムコーダ１５が撮影を終了したと判定される場合は、カムコーダ１５においてテープ等の記録メディアへの撮影画像および音声の記録を停止することだけでなく、そのような記録が終わった後に、映像や音声をモニタリングするモニタリング状態から脱したことも含まれる。場合によっては、カムコーダ１５の電源をオフすることも撮影の終了の概念に含まれうる。
【００５５】
図３の例では、記録装置１０は、ステップＳ１２で、カムコーダ１５での撮影が開始されたことが検出され、カムコーダ１５からビデオデータが転送されてくると、そのビデオデータをメモリ等の記録装置に蓄積し（ステップＳ１４）、ステップＳ１３で、カムコーダ１５での撮影が終了したことを検出すると、そのメモリに蓄積されていたビデオデータをハードディスクに移動する。しかしながら、記録装置１０は、メモリ等に蓄積されたビデオデータを、カムコーダ１５での撮影が終了したことを検出する前に、所定のタイミングで部分的にハードディスクに移動するよう制御することも可能である。このような処理によって、大きなメモリ容量を必要とせずに、ビデオデータの高速なバックアップが可能となる。
【００５６】
ステップＳ１５で、ビデオデータのハードディスクへの記録が終了したら、ステップＳ１６でファイルをクローズし、次にカムコーダ１５の接続あるいは撮影が行われた場合に対処するため、ステップＳ１０に戻る。
【００５７】
また、ステップＳ１０の「ＮＯ」の場合、ステップＳ１１の「ＮＯ」の場合、およびステップＳ１３の「ＹＥＳ」の場合のループは、それぞれ所定の、比較的短い間隔で繰り返される。このことによって、カムコーダ１５の状態の変化をほぼリアルタイムに捉えることが可能である。
【００５８】
図３に示した機能に加えて、たとえば、記録装置１０のハードディスクに記録されたファイル（ビデオデータ）の編集、再生、削除、名称変更、結合、分割などの機能を追加することも可能であるが、このような処理はすでに市販されているアプリケーションを使って実現可能である。
【００５９】
次に、図４を参照して、モニタ画面２０における記録終了選択においてカムコーダ連動２８がチェックされている場合に、強制停止ボタン２６および強制記録ボタン２７の押下を判定する処理について説明する。
【００６０】
ステップＳ２０、ステップＳ２１、およびステップＳ２３は、図３のステップＳ１０、ステップＳ１１、およびステップＳ１２と同様である。ただし、ステップＳ２１で、カムコーダ１５の撮影が開始されていないと判定された場合は、ステップＳ２２においてさらに、モニタ画面２０で強制記録ボタン２７が押下されたかどうかが判定される。強制記録ボタン２７が押下されていると判定された場合は、強制的な記録が開始されるようステップＳ２３に進む。強制記録ボタン２７が押下されていない場合は、ステップＳ２０に戻り、次のタイミングのカムコーダ１５の状態の変化およびモニタ画面２０に対する入力を監視する。
【００６１】
ステップＳ２２の判定によって、カムコーダ１５の撮影が開始されるか、または強制記録ボタン２７が押下された場合に、記録装置１０の記録が開始される。したがって、カムコーダ１５の撮影開始が早ければ、強制記録ボタン２７の押下を待たずに記録装置１０の記録が開始される。
【００６２】
ステップＳ２４において、カムコーダ１５の撮影が継続されている場合、ステップＳ２５に進み、そこで、モニタ画面２０の強制停止ボタン２６が押下されているかどうかが判定される。強制停止ボタン２６が押下されている場合は、記録を強制的に停止し、ステップＳ２７に進んでファイルの作成を行う。この他の処理の流れは、図３に示したフローチャートと同様である。したがって、この例では、カムコーダ１５が撮影を停止するか、強制停止ボタン２６が押下された場合に、記録が停止される。カムコーダ連動２８がチェックされているので、記録装置１０は、カムコーダ１５が撮影を停止すれば、強制停止ボタン２６の押下がなくても、記録を停止する。
【００６３】
次に、図５を参照して、モニタ画面２０の記録終了選択において、記録継続２９がチェックされた場合の処理手順について説明する。ステップＳ３０ないしステップＳ３３の処理は、図４のステップＳ２０ないしステップＳ２３と同じである。この例では、記録継続を指示しているので、カムコーダ１５の状態に関わらず、記録装置１０における記録が継続される。したがって、ステップＳ３４においては、カムコーダ１５の状態を判断せずに、モニタ画面２０で強制停止ボタン２６が押下されたかどうかが判定される。強制停止ボタン２６が押下されていると判定された場合は、記録を停止し、ステップＳ３７に進んで、メモリに蓄積されているビデオデータをハードディスクに記録する。
【００６４】
強制停止ボタン２６が押下されていないと判定された場合は、ステップＳ３５において、記録装置１０のハードディスクの残り容量が判断される。残り容量は、メモリに蓄積されたビデオデータをすべてハードディスクに移動した後の、ハードディスクの残り容量であり、この残り容量が少ししかない場合は、これ以上の記録をすることができないので、記録を停止し、ステップＳ３７に進む。記録継続２９がチェックされている場合は、記録が継続されることになるので、この例では、その記録を停止させるための条件として、強制停止ボタン２６の押下と、ハードディスクの残り容量を設定しているが、これ以外の停止条件を設けることも可能である。
【００６５】
ハードディスクの残り容量が十分あると判定された場合は、ステップＳ３６に進んで、ビデオデータをメモリに展開した後、ステップＳ３４に進む。この他の処理の流れは、図４に示したフローチャートと同様である。
【００６６】
図２に示したモニタ画面２０の表示とこの画面を介した入力処理、および図３ないし図５のフローチャートに関連して説明した処理は、たとえばＷｉｎｄｏｗｓ（登録商標）等の市販のＯＳ上で動作するアプリケーションソフトによって実現できる。また、ＩＥＥＥ１３９４規格のネットワークを通じてカムコーダ１５と通信（映像・音声を含むビデオデータの記録装置１０への転送やカムコーダ１５の状態の取得）部分は、たとえば、マルチメディア用のライブラリであるＤｉｒｅｃｔＸ（登録商標）で用意されているドライバを使用して実現することができる。
【００６７】
ここで、図６を参照して、この発明の記録装置１０のハードウエア構成を説明する。記録装置１０は、ＣＰＵ（Central Processing Unit）４０、メモリ４１、外部記録装置４２、可搬型記録媒体読取装置４３、入力装置４４、表示装置４５、音声出力装置４６、ＩＥＥＥ１３９４インタフェース４７、ネットワーク・インタフェース４８、およびこれらの構成要素を相互に接続するバス４９を備える。
【００６８】
ＣＰＵ４０は、メモリ４１にロードされたプログラムからの指令に基づいて、各構成要素の動作を制御する。このような各構成要素の動作により、上述した、この発明の特徴的な処理が実現される。より具体的には、ＣＰＵ４０の制御により、モニタ画面２０の表示、およびモニタ画面２０を介した入出力制御が行われる。また、カムコーダ１５からのビデオデータをそのまま、あるいは所定の変換を行ってハードディスクに記録するよう制御する。この制御の際には、ディレクトリや各ボタンの押下など、モニタ画面２０を介して入力されたユーザの指定が参照される。また、ハードディスクに記録されたビデオデータの編集処理は、ユーザ等の指示に基づいて、ＣＰＵ４０により行われる。ＣＰＵ４０はさらに、映像や音声を専用に処理するコプロセッサを利用しながら動作することも可能である。
【００６９】
メモリ４１は、たとえば、半導体メモリで構成され、この発明の処理を実現するためのプログラムがロードされる他に、処理に必要なデータを一時的に記録する。また、カムコーダ１５から提供されるビデオデータを受信して一時的に記録するのも、このメモリ４１である。外部記録装置４２は、ハードディスクのような記録装置を言う。ハードディスクには、ＣＰＵ４０の制御により、カムコーダ１５からのビデオデータが記録される他、プログラム等のデータも記録される。
【００７０】
可搬型記録媒体読取装置４３は、たとえば、ＣＤ−ＲＯＭ（Compact Disc - Read Only Memory）やＤＶＤ（Digital Versatile Disk）に記録されたデータを読み取る装置であり、読み取られたデータは、メモリ４１にロードされたり、外部記録装置４２に記録されたりする。この発明に係る処理を実現するためのプログラムもＣＤ−ＲＯＭやＤＶＤに記録され、可搬型記録媒体読取装置４３を介して、記録装置１０の外部からメモリ４１にロードされ、または外部記録装置４２に記録されうる。
【００７１】
入力装置４４は、キーボードやマウス等の入力デバイスであり、キーボードについては、記録装置１０がノート型パソコンである場合は、ＰＣ本体と一体的に構成されている場合が多い。ユーザは、これらの入力デバイスにより、モニタ画面２０を介して所定の指示を入力することができる。表示装置４５は、ＬＣＤ（Liquid Crystal Display）モニタやＣＲＴ（Cathode Ray Tube）モニタ等の表示デバイスである。記録装置１０がノート型パソコンである場合は、ＰＣとＬＣＤモニタ（パネル）は一体的に構成されている場合が多い。これらの表示装置４５には、カムコーダ１５の撮影映像や、再生映像が表示される。
【００７２】
音声出力装置４６は、たとえば、スピーカー等の出力デバイスであり、カムコーダ１５からの音声や、再生音声が出力される。記録装置１０は、スピーカーに加えて、あるいはスピーカーに替えて、ヘッドフォン端子を備えている場合がある。その場合は、ヘッドフォン端子にヘッドフォンを接続することによって、音声を聞くことができる。
【００７３】
ＩＥＥＥ１３９４インタフェース４７は、ＩＥＥＥ１３９４端子に接続された機器とのインタフェースを、ＩＥＥＥ１３９４ケーブルを介して確立し、記録装置１０とカムコーダ１５の間のデータ転送を可能にする。図１に示した例では、記録装置１０は、ＩＥＥＥ１３９４ケーブルを介してカムコーダ１５からビデオデータを受信しているが、これ以外のネットワーク（たとえば、ＵＳＢケーブル、無線または有線ＬＡＮ（Local Area Network）、インターネット、ＷＡＮ（Wide Area Network）など）を介して両者を接続することも可能である。
【００７４】
ネットワーク・インタフェース４８は、記録装置１０を、たとえばＬＡＮやインターネットに接続するためのインタフェースである。記録装置１０が、ネットワーク・インタフェース４８を介して外部のサーバやコンピュータに接続することにより、そのサーバやコンピュータが有する資源をネットワーク経由で受信することができる。たとえば、この発明の処理を実現するためのプログラム自体も、外部のサーバやコンピュータからダウンロードしてくることが可能である。
【００７５】
これまで、ビデオデータはカムコーダ１５から提供されるものとして説明してきたが、この発明の記録装置１０は、所定のネットワークを介してビデオデータと撮影開始・終了や記録開始・終了等の操作状況を取得可能である限り、他のタイプの撮影機器と接続して使用することができる。カムコーダ１５は、そのような撮影機器の単なる一例に過ぎない。
【図面の簡単な説明】
【００７６】
【図１】この発明の一実施形態に係る記録装置と、これに接続されるカムコーダを表した略線図である。
【図２】この発明の一実施形態に係る記録装置のモニタに表示されるモニタ画面の例を示す略線図である。
【図３】この発明の一実施形態に係る記録装置の処理手順を表すフローチャートである。
【図４】この発明の一実施形態に係る記録装置の別の処理手順を表すフローチャートである。
【図５】この発明の一実施形態に係る記録装置のさらに別の処理手順を表すフローチャートである。
【図６】この発明の一実施形態に係る記録装置のハードウエア構成を示すブロック図である。
【図７】従来のＨＤＤレコーダと、これに接続されるカムコーダを表した略線図である。
【図８】従来の編集用ＰＣと、これに接続されるＨＤＤレコーダを表した略線図である。
【符号の説明】
【００７７】
１０・・・記録装置、１１・・・モニタ、１２・・・スピーカー、１３・・・キーボード、１４・・・マウス、１５・・・カムコーダ、１６・・・ネットワーク
【図１】
2005253014.tif 000003
【図２】
2005253014.tif 000004
【図３】
2005253014.tif 000005
【図４】
2005253014.tif 000006
【図５】
2005253014.tif 000007
【図６】
2005253014.tif 000008
【図７】
2005253014.tif 000009
【図８】
2005253014.tif 000010